(57)【特許請求の範囲】
【請求項１】
公衆網に接続可能な複数の端末と、該複数の端末に所定の情報が掲載された電子メールを前記公衆網を介して送信する情報提供手段と、前記複数の端末にて前記情報提供手段から送信されてきた前記電子メールを前記公衆網に接続可能な他の端末に送信することが指示された場合に当該電子メールを前記他の端末に送信する情報配信手段とを少なくとも有してなる情報配信システムにおいて、
前記複数の端末は、前記情報提供手段から送信されてきた前記電子メールを前記他の端末に送信する場合に、送信先の端末の種類を示すための情報と当該端末に送信された電子メールに付与された個別データとを前記情報配信手段に送信し、
前記情報配信手段は、前記複数の端末の種類毎に決められた前記所定の情報の送信データ形状を前記所定の情報を組み込んだ状態で前記複数の端末の種類毎に複数具備し、前記所定の情報が掲載されるサイト画面を指定するための情報が記載された電子メールを作成して該電子メールを前記送信先の端末に送信し、前記送信先の端末にて前記サイト画面を指定するための情報が指定された場合に、前記複数の端末から送信されてきた情報によって示される前記送信先の端末の種類の送信データ形状に組み込まれた前記所定の情報と前記個別データとに基づいて、前記送信先の端末への電子メールの送信を指示した端末のユーザ名が記載された前記サイト画面を作成し、該サイト画面を前記送信先の端末に送信することを特徴とする情報配信システム。
【請求項２】
請求項１に記載の情報配信システムにおいて、
前記送信先の端末は、移動可能な携帯電話機であることを特徴とする情報配信システム。
【請求項３】
公衆網に接続可能な複数の端末に所定の情報が掲載された電子メールを前記公衆網を介して送信する情報提供手段と、前記複数の端末にて前記情報提供手段から送信されてきた前記電子メールを前記公衆網に接続可能な他の端末に送信することが指示された場合に当該電子メールを前記他の端末に送信する情報配信手段とを少なくとも有してなるサーバ群であって、
前記情報配信手段は、前記複数の端末の種類毎に決められた前記所定の情報の送信データ形状を前記所定の情報を組み込んだ状態で前記複数の端末の種類毎に複数具備し、前記複数の端末にて、前記情報提供手段から送信されてきた前記電子メールの前記他の端末への送信が指示された場合、前記所定の情報が掲載されるサイト画面を指定するための情報が記載された電子メールを作成して該電子メールを前記送信先の端末に送信し、前記送信先の端末にて前記サイト画面を指定するための情報が指定された場合に、前記複数の端末から送信されてきた情報によって示される前記送信先の端末の種類の送信データ形状に組み込まれた前記所定の情報と前記個別データとに基づいて、前記送信先の端末への電子メールの送信を指示した端末のユーザ名が記載された前記サイト画面を作成し、該サイト画面を前記送信先の端末に送信することを特徴とするサーバ群。
【発明の詳細な説明】
【０００１】
【発明の属する技術分野】
本発明は、クーポン等の画像データを含む所定の情報が掲載された情報画面を指定の宛先に配信する情報配信システムに関する。
【０００２】
【従来の技術】
近年、インターネットやパソコンの急速な普及に伴い、クーポン等の画像情報をインターネットを介して一般ユーザに配信するサービスが行われている。
【０００３】
例えば、インターネットを介してのクーポンの配信においては、商品等を提供する店舗が運営するサイト内に予めクーポンを掲載しておく。一般ユーザは、パソコン等を用いて店舗が運営するサイトにアクセスし、クーポンをパソコン等の画面上に表示させ、クーポンの内容を確認し、その後、このクーポンをプリントアウトして店舗に持参する。店舗においては、一般ユーザがクーポンを提示することにより、クーポンに記載された割引や無料提供等の特典が一般ユーザに与えられることになる。また、携帯端末を用いた場合は、クーポンをプリントアウトせず、携帯端末の画面上にクーポンを表示させ、店舗においてこの画面を提示することによりクーポンに記載された特典が一般ユーザに与えられることになる。
【０００４】
ここで、本願発明者らは、特願２００１−１７２５７３号出願において、上述したような画像情報の一般ユーザへの配信を効率的に行う技術を提案している。
【０００５】
上記出願においては、一般ユーザに配信すべき画像情報をＨＴＭＬ（Hyper Text Markup Language）形式で表現される電子メールに記載して一般ユーザに配信し、それにより、一般ユーザが所定のサイトにアクセスすることなく、画像情報の存在を認識することができるとともに、その画像情報を取得することができる。
【０００６】
【発明が解決しようとする課題】
上述したようなインターネットを介しての情報配信においては、配信された情報を他の端末等に転送する場合、情報配信元から配信された画像データを含む情報を転送元の端末等から転送先の端末等に全て転送することが考えられる。
【０００７】
しかしながら、情報配信元から配信された画像データを含む情報が転送元の端末等から転送先の端末等に全て転送される場合、転送される情報には画像データが含まれているため、その情報量が膨大な量となる可能性が高く、迅速なデータ転送を行うことができなくなるとともに、通信料が嵩んでしまうという問題点がある。
【０００８】
本発明は、上述したような従来の技術が有する問題点に鑑みてなされたものであって、インターネット等の公衆網を介して配信された情報を他の端末等に転送する場合にその情報量を低減させることができる情報配信システムを提供することを目的とする。
【０００９】
【課題を解決するための手段】
上記目的を達成するために本発明は、
公衆網に接続可能な複数の端末と、該複数の端末に所定の情報が掲載された電子メールを前記公衆網を介して送信する情報提供手段と、前記複数の端末にて前記情報提供手段から送信されてきた前記電子メールを前記公衆網に接続可能な他の端末に送信することが指示された場合に当該電子メールを前記他の端末に送信する情報配信手段とを少なくとも有してなる情報配信システムにおいて、
前記複数の端末は、前記情報提供手段から送信されてきた前記電子メールを前記他の端末に送信する場合に、送信先の端末の種類を示すための情報と当該端末に送信された電子メールに付与された個別データとを前記情報配信手段に送信し、
前記情報配信手段は、前記複数の端末の種類毎に決められた前記所定の情報の送信データ形状を前記所定の情報を組み込んだ状態で前記複数の端末の種類毎に複数具備し、前記所定の情報が掲載されるサイト画面を指定するための情報が記載された電子メールを作成して該電子メールを前記送信先の端末に送信し、前記送信先の端末にて前記サイト画面を指定するための情報が指定された場合に、前記複数の端末から送信されてきた情報によって示される前記送信先の端末の種類の送信データ形状に組み込まれた前記所定の情報と前記個別データとに基づいて、前記送信先の端末への電子メールの送信を指示した端末のユーザ名が記載された前記サイト画面を作成し、該サイト画面を前記送信先の端末に送信することを特徴とする。
【００１２】
また、前記送信先の端末は、移動可能な携帯電話機であることを特徴とする。
【００１５】
また、公衆網に接続可能な複数の端末に所定の情報が掲載された電子メールを前記公衆網を介して送信する情報提供手段と、前記複数の端末にて前記情報提供手段から送信されてきた前記電子メールを前記公衆網に接続可能な他の端末に送信することが指示された場合に当該電子メールを前記他の端末に送信する情報配信手段とを少なくとも有してなるサーバ群であって、
前記情報配信手段は、前記複数の端末の種類毎に決められた前記所定の情報の送信データ形状を前記所定の情報を組み込んだ状態で前記複数の端末の種類毎に複数具備し、前記複数の端末にて、前記情報提供手段から送信されてきた前記電子メールの前記他の端末への送信が指示された場合、前記所定の情報が掲載されるサイト画面を指定するための情報が記載された電子メールを作成して該電子メールを前記送信先の端末に送信し、前記送信先の端末にて前記サイト画面を指定するための情報が指定された場合に、前記複数の端末から送信されてきた情報によって示される前記送信先の端末の種類の送信データ形状に組み込まれた前記所定の情報と前記個別データとに基づいて、前記送信先の端末への電子メールの送信を指示した端末のユーザ名が記載された前記サイト画面を作成し、該サイト画面を前記送信先の端末に送信することを特徴とする。
【００１６】
（作用）
上記のように構成された本発明においては、公衆網に接続可能な複数の端末において情報提供手段から送信されてきた情報画面を公衆網に接続可能な他の端末に送信する場合、送信先の端末の種類を示すための情報と当該端末に送信された情報画面に付与された個別データとが複数の端末から情報配信手段に送信される。情報配信手段においては、複数の端末の種類毎に決められた所定の情報の送信データ形状が所定の情報が組み込まれた状態で複数の端末の種類毎に登録されており、複数の端末から送信されてきた情報によって示される送信先の端末の種類の送信データ形状に組み込まれた所定の情報と個別データとに基づいて情報画面が作成され、送信先の端末に送信される。
【００１７】
このように、公衆網に接続可能な複数の端末において情報提供手段から送信されてきた情報画面を公衆網に接続可能な他の端末に送信する場合、情報提供手段から送信されてきた情報画面を構成する全ての情報を複数の端末から送信先の端末に送信するのではなく、送信先の端末の種類を示すための情報と当該端末に送信された情報画面に付与された個別データのみを複数の端末から情報配信手段に送信し、情報配信手段において、複数の端末から送信されてきた情報によって示される送信先の端末の種類の送信データ形状に組み込まれた所定の情報と個別データとに基づいて情報画面を作成し、送信先の端末に送信するので、公衆網を介して配信された情報を他の端末等に転送する場合にその情報量が低減することになる。
【００１８】
また、情報提供手段から複数の端末に送信された情報画面がＨＴＭＬ形式で表現される電子メールである場合は、この電子メールを公衆網に接続可能な他の端末に送信する場合、情報配信手段において、送信先の端末がＨＴＭＬ形式で表現される電子メールを出力可能なものであれば、複数の端末から送信されてきた情報によって示される送信先の端末の種類の送信データ形状に組み込まれた所定の情報と個別データとに基づいて電子メールが作成されて送信先の端末に送信され、また、送信先の端末がＨＴＭＬ形式で表現される電子メールを出力不可能なものであれば、所定の情報が掲載されるサイト画面を指定するための情報が記載された電子メールが作成されて送信先の端末に送信され、送信先の端末にてサイト画面を指定するための情報が指定された場合に、複数の端末から送信されてきた情報によって示される送信先の端末の種類の送信データ形状に組み込まれた所定の情報と個別データとに基づいてサイト画面が作成されて送信先の端末に送信される。
【００１９】
【発明の実施の形態】
以下に、本発明の実施の形態について図面を参照して説明する。
【００２０】
図１は、本発明の情報配信システムの実施の一形態を示す図である。
【００２１】
本形態は図１に示すように、インターネット６０に接続可能な複数のユーザ端末１０−１〜１０−ｎと、インターネット６０及び電話回線７０に接続可能な携帯電話機２０と、電話回線７０に接続可能なＦＡＸ受信機３０と、画像データを含む通知情報が記載されたＨＴＭＬ（Hyper Text Markup Language）形式で表現される電子メールを作成し、該電子メールをインターネット６０を介してユーザ端末１０−１〜１０−ｎに送信する情報提供業者５０と、ユーザ端末１０−１〜１０−ｎにおいて情報提供業者５０から送信されてきた電子メールに記載された通知情報を他の端末１０−１〜１０−ｎ、携帯電話機２０あるいはＦＡＸ受信機３０へ転送することが指定された場合に、指定された転送先に基づいて、通知情報が記載された電子メールあるいは通知情報が記載されたサイト画面を作成し、送信する情報配信業者４０とから構成されている。なお、携帯電話機２０及びＦＡＸ受信機３０においては、説明を簡単にするためにそれぞれ１つずつしか図示していないが、複数の携帯電話機及びＦＡＸ受信機が存在するものとする。
【００２２】
また、情報提供業者５０は、ユーザ端末１０−１〜１０−ｎの電子メールアドレス等のユーザ端末１０−１〜１０−ｎに関する情報や、ユーザ端末１０−１〜１０−ｎ、携帯電話機２０及びＦＡＸ受信機３０に対する通知情報の送信履歴が登録された情報配信データベース５５と、ユーザ端末１０−１〜１０−ｎに送信すべき通知情報を含む電子メールの形式が登録されたテンプレートデータベース５３と、テンプレートデータベース５３に登録された情報を用いて電子メールを作成する情報配信部５２と、情報配信部５２にて作成された電子メールを情報配信データベース５５に登録された電子メールアドレスに従ってインターネット６０を介してユーザ端末１０−１〜１０−ｎに送信するメールサーバ５１とを有している。
【００２３】
また、情報配信業者４０は、ユーザ端末１０−１〜１０−ｎ、携帯電話機２０及びＦＡＸ受信機３０に送信すべき通知情報を含む電子メールあるいはサイト画面の送信データ形状が送信先となるユーザ端末１０−１〜１０−ｎ、携帯電話機２０及びＦＡＸ受信機３０毎に登録されたテンプレートデータベース４３と、ユーザ端末１０−１〜１０−ｎにおいて情報提供業者５０から送信されてきた電子メールに記載された通知情報を他の端末１０−１〜１０−ｎ、携帯電話機２０あるいはＦＡＸ受信機３０へ転送することが指定された場合に、指定された転送先に基づく電子メールあるいはサイト画面の送信データ形状をテンプレートデータベース４３から検索し、検索した送信データ形状を用いて通知情報が記載された電子メールあるいはサイト画面を作成する情報配信部４２と、情報配信部４２にて作成された電子メールあるいはサイト画面をインターネット６０を介してユーザ端末１０−１〜１０−ｎあるいは携帯電話機２０に送信するメールサーバ４１と、情報配信部４２にて作成された画面を電話回線７０を介してＦＡＸ受信機３０に送信する電話回線Ｉ／Ｆ部４４とを有している。なお、情報配信部４２においては、インターネット６０を介してユーザ端末１０−１〜１０−ｎあるいは携帯電話機２０に情報画面を配信する場合に、まず、そのサイト画面を指定するためのＵＲＬ（Uniform Resource Locators）が貼り付けられた電子メールを作成し、また、通知情報をＦＡＸ受信機３０に転送する場合は、作成したサイト画面をＦＡＸ受信機３０用に変換する。
【００２４】
ここで、電子メールあるいはサイト画面の送信データ形状とは、ユーザ端末１０−１〜１０−ｎ、携帯電話機２０及びＦＡＸ受信機３０において、転送されてきた通知情報が表示あるいは印字出力可能となる形状であって、ユーザ端末１０−１〜１０−ｎ、携帯電話機２０及びＦＡＸ受信機３０毎にそれぞれ決められており、それらがそれぞれ通知情報が含まれた状態でテンプレートデータベース４３に登録されている。
【００２５】
以下に、上記のように構成された情報配信システムにおける情報配信方法について、ユーザ端末１０−１にて情報提供業者５０から送信されてきた情報を転送する場合を例に挙げて説明する。
【００２６】
図２は、図１に示した情報配信システムにおける情報配信方法を説明するためのフローチャートである。
【００２７】
まず、情報提供業者５０において、ユーザ端末１０−１に送信すべき画像データを含む通知情報が記載された電子メールが作成され、送信される（ステップＳ１）。なお、情報提供業者５０における電子メールの作成においては、情報配信部５２において、テンプレートデータベース５３に登録された電子メールの形式を用いて画像データを含む通知情報が記載された電子メールが作成され、作成された電子メールの送信においては、情報配信データベース５５に登録されたユーザ端末１０−１の電子メールアドレスに基づいてメールサーバ５１から送信される。
【００２８】
情報提供業者５０から送信された電子メールは、インターネット６０を介してユーザ端末１０−１にて受信され、ユーザ端末１０−１の画面上に表示される（ステップＳ２）。
【００２９】
図３は、図１に示した情報配信システムにおいて情報提供業者５０から送信され、ユーザ端末１０−１の画面上に表示される電子メールの一例を示す図である。
【００３０】
図３に示すように、本形態において情報提供業者５０から送信されユーザ端末１０−１の画面上に表示される電子メールには、ユーザ端末１０−１のユーザに提供される画像データからなるクーポン１と、この電子メールを他のユーザ端末１０−２〜１０−ｎ、携帯電話機２０あるいはＦＡＸ受信機３０に転送する際、それらの電子メールアドレスあるいは電話番号を入力可能な転送指定エリア２とが記載されている。また、クーポン１には、クーポン毎及び該クーポンの送信先のユーザ毎に設定されたクーポンＩＤや利用者名等の個別データ３が記載されている。
【００３１】
その後、ユーザ端末１０−１のユーザが、ユーザ端末１０−１の画面上に表示された電子メールを他のユーザ端末１０−２〜１０−ｎ、携帯電話機２０あるいはＦＡＸ受信機３０に転送する場合（ステップＳ３）、ユーザは、転送指定エリア２に、転送先の電子メールアドレスあるいは電話番号を入力する（ステップＳ４）。ここで、ユーザ端末１０−１の画面上に表示された電子メールを他のユーザ端末１０−２〜１０−ｎあるいは携帯電話機２０に転送する場合は転送先のユーザ端末１０−２〜１０−ｎあるいは携帯電話機２０の電子メールアドレスを入力し、また、ユーザ端末１０−１の画面上に表示された電子メールをＦＡＸ受信機３０に転送する場合はＦＡＸ受信機３０の電話番号を入力する。
【００３２】
ユーザが、転送指定エリア２に転送先の電子メールアドレスあるいは電話番号を入力した後、入力可能な領域に隣接して設けられた転送ボタンを押下すると（ステップＳ５）、転送指定エリア２に入力された電子メールアドレスあるいは電話番号と、クーポン１に記載された個別データ３とが送信される（ステップＳ６）。
【００３３】
ユーザ端末１０−１から送信された電子メールアドレスあるいは電話番号と個別データ３とは、インターネット６０を介して情報配信業者４０内のメールサーバ４１にて受信される（ステップＳ７）。
【００３４】
すると、情報配信業者４０内の情報配信部４２において、メールサーバ４１にて受信された電子メールアドレスあるいは電話番号に基づいて、ユーザ端末１０−１にて指定された電子メールの転送先が判別される（ステップＳ８）。ここで、情報配信部４２における電子メールの転送先の判別においては、まず、ユーザ端末１０−１にてユーザ端末１０−１のユーザが転送指定エリア２のうちどのエリアに電子メールアドレスを入力したかあるいは電話番号を入力したかによって、電子メールをユーザ端末１０−２〜１０−ｎに転送するのか、携帯電話機２０に転送するのか、あるいはＦＡＸ受信機３０に転送するのかが判別され、その後、転送指定エリア２に入力された電子メールアドレスあるいは電話番号によって転送先が判別される。この、電子メールをユーザ端末１０−２〜１０−ｎに転送するのか、携帯電話機２０に転送するのか、あるいはＦＡＸ受信機３０に転送するのかを判別するための条件、すなわち、ユーザ端末１０−１のユーザが転送指定エリア２のうちどのエリアに電子メールアドレスを入力したかあるいは電話番号を入力したかを転送条件と称する。
【００３５】
以下に、情報配信業者４０内のメールサーバ４１にて受信された転送条件が、他のユーザ端末１０−２〜１０−ｎへの転送であるものの場合と、携帯電話機２０への転送であるものの場合と、ＦＡＸ受信機３０への転送であるものの場合とに分けて説明する。
【００３６】
まず、情報配信業者４０内のメールサーバ４１にて受信された転送条件が、他のユーザ端末１０−２〜１０−ｎへの転送であるものの場合の動作について説明する。
【００３７】
図４は、図１に示した情報配信システムにおいて、ユーザ端末１０−１に送信された電子メールを他のユーザ端末１０−２に送信する場合の動作を説明するためのフローチャートである。
【００３８】
情報配信業者４０内の情報配信部４２において、メールサーバ４１にて受信された転送条件が、ユーザ端末１０−２への転送であるものと判別された場合は、まず、情報配信部４２において、ユーザ端末１０−２のメーラー機能が確認される（ステップＳ１１）。なお、このユーザ端末１０−２のメーラー機能の確認は周知の方法によって行われる。
【００３９】
情報配信部４２にてユーザ端末１０−２のメーラー機能を確認した結果、ユーザ端末１０−２がＨＴＭＬ形式で表現される電子メールを受信、表示可能なものである場合（ステップＳ１２）、情報配信部４２において、テンプレートデータベース４３に登録されている、通知情報を含むユーザ端末１０−２〜１０−ｎの電子メールの送信データ形状と、ユーザ端末１０−１から送信され、メールサーバ４１にて受信された個別データとを用いて、画像データを含む通知情報が記載されたＨＴＭＬ形式で表現される電子メールが作成され、メールサーバ４１を介して送信される（ステップＳ１３）。ここで、テンプレートデータベース４３には、図３に示した電子メールの個別データ３以外の通知情報が、この通知情報の配信先毎に該配信先によって決められた送信データ形状に組み込まれて登録されており、情報配信部４２においては、テンプレートデータベース４３に登録されている通知情報のうち、電子メールの転送先となるユーザ端末１０−２によって決められた送信データ形状に組み込まれている通知情報とメールサーバ４１にて受信された個別データとを用いてユーザ端末１０−２宛ての電子メールが作成されることになる。なお、宛先となる電子メールアドレスにおいては、ユーザ端末１０−１にて転送指定エリア２に入力された電子メールアドレスに基づいて決定する。
【００４０】
情報配信業者４０から送信された電子メールは、インターネット６０を介してユーザ端末１０−２にて受信され、ユーザ端末１０−２の画面上に表示されることになる（ステップＳ１４）。
【００４１】
また、情報配信業者４０においては、情報提供業者５０からユーザ端末１０−１に配信された電子メールに記載された画像データとなるクーポンがユーザ端末１０−２に転送されたことが情報提供業者５０に通知され（ステップＳ１５）、情報提供業者５０において、情報提供業者５０からユーザ端末１０−１に配信された電子メールに記載された画像データとなるクーポンがユーザ端末１０−２に転送されたことが情報配信データベース５５に登録される（ステップＳ１６）。
【００４２】
一方、情報配信部４２にてユーザ端末１０−２のメーラー機能を確認した結果、ユーザ端末１０−２がＨＴＭＬ形式で表現される電子メールを受信、表示不可能なものである場合は（ステップＳ１２）、情報配信部４２において、電子メールに記載された画像データとなるクーポンを含む通知情報が掲載されるサイト画面を指定するためのＵＲＬが貼り付けられた電子メールが作成され、メールサーバ４１を介して送信される（ステップＳ１７）。
【００４３】
情報配信業者４０から送信された電子メールは、ユーザ端末１０−２にて受信され、ユーザ端末１０−２の画面上に表示される（ステップＳ１８）。なお、その際、ユーザ端末１０−２の画面上に表示される電子メールには、この電子メールの転送元であるユーザ端末１０−１のユーザ名等も記載されている。
【００４４】
その後、ユーザ端末１０−２のユーザが、ユーザ端末１０−２の画面上に表示された電子メールに記載されたＵＲＬを指定すると（ステップＳ１９）、情報配信業者４０に対して、図３に示した電子メールに記載された画像データとなるクーポン１を含む通知情報が掲載されたサイト画面をユーザ端末１０−２に送信するための転送条件が送信され、情報配信業者４０内の情報配信部４２において、テンプレートデータベース４３に登録されている、通知情報を含むユーザ端末１０−２〜１０−ｎのサイト画面の送信データ形状と、ユーザ端末１０−１から送信され、メールサーバ４１にて受信された個別データとを用いて、画像データを含む通知情報が掲載されたサイト画面が作成され、メールサーバ４１を介して送信される（ステップＳ２０）。ここで、テンプレートデータベース４３には、図３に示した電子メールの個別データ３以外の通知情報が、この通知情報の配信先毎に該配信先によって決められた送信データ形状に組み込まれて登録されており、情報配信部４２においては、テンプレートデータベース４３に登録されている通知情報のうち、サイト画面の転送先となるユーザ端末１０−２によって決められた送信データ形状に組み込まれている通知情報とメールサーバ４１にて受信された個別データとを用いてユーザ端末１０−２宛てのサイト画面が作成されることになる。
【００４５】
情報配信業者４０から送信されたサイト画面は、インターネット６０を介してユーザ端末１０−２にて受信され、ユーザ端末１０−２の画面上に表示されることになる（ステップＳ２１）。なお、その際、ユーザ端末１０−２の画面上に表示されるサイト画面には、このサイト画面に掲載された通知情報の転送元であるユーザ端末１０−１のユーザ名等も記載されている。
【００４６】
また、情報配信業者４０においては、情報提供業者５０からユーザ端末１０−１に配信された電子メールに記載された画像データとなるクーポンがユーザ端末１０−２に転送されたことが情報提供業者５０に通知され（ステップＳ１５）、情報提供業者５０において、情報提供業者５０からユーザ端末１０−１に配信された電子メールに記載された画像データとなるクーポンがユーザ端末１０−２に転送されたことが情報配信データベース５５に登録される（ステップＳ１６）。
【００４７】
次に、情報配信業者４０内のメールサーバ４１にて受信された転送条件が、携帯電話機２０への転送であるものの場合の動作について説明する。
【００４８】
図５は、図１に示した情報配信システムにおいて、ユーザ端末１０−１に送信された電子メールに記載された通知情報を携帯電話機２０に送信する場合の動作を説明するためのフローチャートである。
【００４９】
情報配信業者４０内の情報配信部４２において、メールサーバ４１にて受信された転送条件が、携帯電話機２０への転送であるものと判別された場合は、まず、情報配信部４２において、電子メールに記載された画像データとなるクーポンを含む通知情報が掲載されるサイト画面を指定するためのＵＲＬが貼り付けられた電子メールが作成され、メールサーバ４１を介して送信される（ステップＳ３１）。
【００５０】
情報配信業者４０から送信された電子メールは、携帯電話機２０にて受信され、携帯電話機２０の画面上に表示される（ステップＳ３２）。
【００５１】
その後、携帯電話機２０のユーザが、携帯電話機２０の画面上に表示された電子メールに記載されたＵＲＬを指定すると（ステップＳ３３）、情報配信業者４０に対して、図３に示した電子メールに記載された画像データとなるクーポン１を含む通知情報が掲載されたサイト画面を携帯電話機２０に送信するための転送条件が送信され、情報配信業者４０内の情報配信部４２において、テンプレートデータベース４３に登録されている、通知情報を含む携帯電話機２０のサイト画面の送信データ形状と、ユーザ端末１０−１から送信され、メールサーバ４１にて受信された個別データとを用いて、画像データを含む通知情報が掲載されたサイト画面が作成され、メールサーバ４１を介して送信される（ステップＳ３４）。ここで、テンプレートデータベース４３には、図３に示した電子メールの個別データ３以外の通知情報が、この通知情報の配信先毎に該配信先によって決められた送信データ形状に組み込まれて登録されており、情報配信部４２においては、テンプレートデータベース４３に登録されている通知情報のうち、サイト画面の転送先となる携帯電話機２０によって決められた送信データ形状に組み込まれている通知情報とメールサーバ４１にて受信された個別データとを用いて携帯電話機２０宛てのサイト画面が作成されることになる。また、携帯電話機２０から情報配信業者４０に対して、図３に示した電子メールに記載された画像データとなるクーポン１を含む通知情報が掲載されたサイト画面を携帯電話機２０に送信するための転送条件が送信される際、携帯電話機２０の携帯電話会社（不図示）を経由して転送条件が送信されることになるが、携帯電話会社を経由した際に携帯電話機２０の機種が転送条件に付与され、その機種によって決められた送信データ形状に組み込まれた通知情報がテンプレートデータベース４３から検索され、検索された通知情報とメールサーバ４１にて受信された個別データとを用いて携帯電話機２０宛てのサイト画面が作成されることになる。なお、その際、携帯電話機２０の画面上に表示されるサイト画面には、このサイト画面に掲載された通知情報の転送元であるユーザ端末１０−１のユーザ名等も記載されている。
【００５２】
情報配信業者４０から送信された情報画面は、インターネット６０を介して携帯電話機２０にて受信され、携帯電話機２０の画面上に表示されることになる（ステップＳ３５）。
【００５３】
また、情報配信業者４０においては、情報提供業者５０からユーザ端末１０−１に配信された電子メールに記載された画像データとなるクーポンが携帯電話機２０に転送されたことが情報提供業者５０に通知され（ステップＳ３６）、情報提供業者５０において、情報提供業者５０からユーザ端末１０−１に配信された電子メールに記載された画像データとなるクーポンが携帯電話機２０に転送されたことが、情報配信データベース５５に登録される（ステップＳ３７）。
【００５４】
次に、情報配信業者４０内のメールサーバ４１にて受信された転送条件が、ＦＡＸ受信機３０への転送であるものの場合の動作について説明する。
【００５５】
図６は、図１に示した情報配信システムにおいて、ユーザ端末１０−１に送信された電子メールに記載された通知情報をＦＡＸ受信機３０に送信する場合の動作を説明するためのフローチャートである。
【００５６】
情報配信業者４０内の情報配信部４２において、メールサーバ４１にて受信された転送条件が、ＦＡＸ受信機３０への転送であるものと判別された場合は、まず、情報配信業者４０内の情報配信部４２において、テンプレートデータベース４３に登録されている、通知情報を含むＦＡＸ受信機３０の画面の送信データ形状と、ユーザ端末１０−１から送信され、メールサーバ４１にて受信された個別データとを用いて、画像データを含む通知情報が掲載された画面が作成され、電話回線Ｉ／Ｆ４４を介して送信される（ステップＳ４１）。ここで、テンプレートデータベース４３には、図３に示した電子メールの個別データ３以外の通知情報が、この通知情報の配信先毎に該配信先によって決められた送信データ形状に組み込まれて登録されており、情報配信部４２においては、テンプレートデータベース４３に登録されている通知情報のうち、画面の転送先となるＦＡＸ受信機３０によって決められた送信データ形状に組み込まれている通知情報とメールサーバ４１にて受信された個別データとを用いてＦＡＸ受信機３０宛ての画面が作成されることになる。
【００５７】
情報配信業者４０から送信された画面は、電話回線７０を介してＦＡＸ受信機３０にて受信され、印字出力されることになる（ステップＳ４２）。
【００５８】
また、情報配信業者４０においては、情報提供業者５０からユーザ端末１０−１に配信された電子メールに記載された画像データとなるクーポンがＦＡＸ受信機３０に転送されたことが情報提供業者５０に通知され（ステップＳ４３）、情報提供業者５０において、情報提供業者５０からユーザ端末１０−１に配信された電子メールに記載された画像データとなるクーポンがＦＡＸ受信機３０に転送されたことが、情報配信データベース５５に登録される（ステップＳ４４）。
【００５９】
なお、本形態においては、ユーザ端末１０−１〜１０−ｎ、携帯電話機２０及びＦＡＸ受信機３０に対する通知情報の送信履歴が、情報提供業者５０が有する情報配信データベース５５に登録されているが、情報配信業者４０において、ユーザ端末１０−１〜１０−ｎ、携帯電話機２０及びＦＡＸ受信機３０に対する通知情報の送信履歴が登録されるデータベースを有する構成としてもよい。
【００６０】
また、本形態においては、情報配信業者４０と情報提供業者５０とを別々のものとして説明したが、情報提供業者５０内のメールサーバ５１を情報配信業者４０内のメールサーバ４１と同様に情報配信する機能を有するものとする運営方法によっては、情報配信業者４０と情報提供業者５０とが同一の場合も考えられる。
【００６１】
【発明の効果】
以上説明したように本発明においては、公衆網に接続可能な複数の端末において情報提供手段から送信されてきた情報画面を公衆網に接続可能な他の端末に送信する場合、情報提供手段から送信されてきた情報画面を構成する全ての情報を複数の端末から送信先の端末に送信するのではなく、送信先の端末の種類を示すための情報と当該端末に送信された情報画面に付与された個別データのみを複数の端末から情報配信手段に送信し、情報配信手段において、複数の端末から送信されてきた情報によって示される送信先の端末の種類の送信データ形状に組み込まれた所定の情報と個別データとに基づいて情報画面を作成し、送信先の端末に送信する構成としたため、公衆網を介して配信された情報を他の端末等に転送する場合にその情報量が低減し、迅速なデータ転送を行うことができるとともに、通信料を低減させることができる。
【図面の簡単な説明】
【図１】本発明の情報配信システムの実施の一形態を示す図である。
【図２】図１に示した情報配信システムにおける情報配信方法を説明するためのフローチャートである。
【図３】図１に示した情報配信システムにおいて情報提供業者から送信され、ユーザ端末の画面上に表示される電子メールの一例を示す図である。
【図４】図１に示した情報配信システムにおいて、ユーザ端末に送信された電子メールを他のユーザ端末に送信する場合の動作を説明するためのフローチャートである。
【図５】図１に示した情報配信システムにおいて、ユーザ端末に送信された電子メールに記載された通知情報を携帯電話機に送信する場合の動作を説明するためのフローチャートである。
【図６】図１に示した情報配信システムにおいて、ユーザ端末に送信された電子メールに記載された通知情報をＦＡＸ受信機に送信する場合の動作を説明するためのフローチャートである。
【符号の説明】
１    クーポン
２    転送指定エリア
３    個別データ
１０−１〜１０−ｎ    ユーザ端末
２０    携帯電話機
３０    ＦＡＸ受信機
４０    情報配信業者
４１，５１    メールサーバ
４２，５２    情報配信部
４３，５３    テンプレートデータベース
４４    電話回線Ｉ／Ｆ
５５    情報配信データベース
６０    インターネット
７０    電話回線
【図１】
0004756777.tif 000002
【図２】
0004756777.tif 000003
【図３】
0004756777.tif 000004
【図４】
0004756777.tif 000005
【図５】
0004756777.tif 000006
【図６】
0004756777.tif 000007